(57)【要約】      （修正有）【課題】火災防止や灰の飛散防止を図った墓前用香炉を提供する。【解決手段】前面を開口とした香炉本体８を有し、その香炉本体８の前面開口に上下中心を軸支した回転可能な扉体１４を備え、その扉体の後面下方に香の置き用トレイを一体的に備えていることとし、前記香炉本体のベース板１０及び天板１１の前方側中央に軸受となるボス穴を備えるとともに、前記扉体１４の上下端面中央にも軸受となるボス穴を備え、その各ボス穴を短寸な軸ピンで連結してあることとする。【選択図】図１
0003154890.tif 000002
【実用新案登録請求の範囲】
【請求項１】
前面を開口とした香炉本体を有し、その香炉本体の前面開口に上下中心を軸支した回転可能な扉体を備え、その扉体の後面下方に香の置き用トレイを一体的に備えていることを特徴とする香炉。
【請求項２】
前記香炉本体のベース板及び天板の前方側中央に軸受となるボス穴を備えるとともに、前記扉体の上下端面中央にも軸受となるボス穴を備え、その各ボス穴を短寸な軸ピンで連結してあることを特徴とする請求項１に記載の香炉。
【請求項３】
前記した香の置き用トレイは回転動作を妨げないように略半円形状としてあることを特徴とする請求項１または請求項２に記載の香炉。
【請求項４】
前記した扉体は前面が外方に向けて膨出した弧状板としてあることを特徴とする請求項１、請求項２または請求項３に記載の香炉。
【考案の詳細な説明】
【技術分野】
【０００１】
本考案は香炉、特に墓前用として設置される香炉に関する。
【背景技術】
【０００２】
一般的に、墓は寺院や霊園にあって屋外に設置され、墓石とカロート（納骨室）、その他の附属品や必要に応じての外柵で構成される。ここで、香炉は墓石が和型、洋型であることを問わず、花立や水鉢とともに不可欠の構成要素となっている。
【０００３】
ここで、墓参りに用いられる香は通常、取り扱いの利便性から線香が一般的であるが、その線香が供えられる香炉は、台状かボックス状となっており、着火された線香を単に載置するだけの構造となっている。
【０００４】
そのため、墓参後に帰途につく際、火災防止のための消火や灰の周囲への飛散を防止するための後処理を行なうことが要求される煩わしさがあった。
【０００５】
かかる観点から、先行技術文献として示す香炉が開陳されているが、この場合は、前後へのスライド形式となっており、ラックやピニオンのギア機構を用いてトレイを方向転換させるもので、構成部品が多くなり、故障も生じ易く、価格的にも高騰してしまうものとなっている。
【先行技術文献】
【特許文献】
【０００６】
【特許文献１】特開２００７−２４７１４６号公報
【考案の概要】
【考案が解決しようとする課題】
【０００７】
本考案が解決しようとする問題点は、従来の香炉は火災や灰の飛散に対して無防備なものであり、また、トレイが収納できるタイプのものは複雑なメカニズムを要し、動きが重くなるうえに、コスト高となってしまうという点である。
【課題を解決するための手段】
【０００８】
上記した問題点を解決するために、本考案に係る香炉は、前面を開口とした香炉本体を有し、その香炉本体の前面開口に上下中心を軸支した回転可能な扉体を備え、その扉体の後面下方に香の置き用トレイを一体的に備えていることを特徴としている。
【０００９】
また、本考案に係る香炉は、前記香炉本体のベース板及び天板の前方側中央に軸受となるボス穴を備えるとともに、前記扉体の上下端面中央にも軸受となるボス穴を備え、その各ボス穴を短寸な軸ピンで連結してあることを特徴としている。
【００１０】
さらに、本考案に係る香炉は、前記した香の置き用トレイは回転動作を妨げないように略半円形状としてあることを特徴としている。
【００１１】
そして、本考案に係る香炉は、前記した扉体は前面が外方に向けて膨出した弧状板としてあることを特徴としている。
【考案の効果】
【００１２】
本考案に係る香炉は上記したように構成されている。そのため、前面にある扉の一方端を軽く押してやるのみで、軸を中心としてその扉が回転し、香の置き用トレイが出入することとなる。従って、着火状態にある線香を置いたまま、本体内に戻してやることもでき、火災や灰の飛散等の虞もない。又、この香の置き用トレイの出入が複雑なメカニズムが不要となり、操作を簡単で故障をすることもなく、価格も安価なものとして需要者に供給することができる。
【図面の簡単な説明】
【００１３】
【図１】本考案を実施した香炉を設置した墓石全体を示す斜視図である。
【図２】ベース板の斜視図である。
【図３】平面図である。
【図４】正面図である。
【図５】天板の斜視図である。
【図６】平面図である。
【図７】正面図である。
【図８】扉体の斜視図である。
【図９】平面図である。
【図１０】正面図である。
【図１１】側壁板の斜視図である。
【図１２】平面図である。
【図１３】後壁板の斜視図である。
【考案を実施するための形態】
【００１４】
図面として示し、実施例で説明したように構成したことで実現した。
【実施例１】
【００１５】
次に、本考案の好ましい実施の一例を図面を参照して説明する。図にあって１は銘が刻設される竿石を示し、２は上部に装飾３を施した上台、４は中台、５は下台（芝台）を示している。また、６は墓石の前方に配される水鉢、７はその水鉢の左右に配される花立を示している。
【００１６】
図中８は本考案を実施した香炉本体を示しており、この香炉本体８は台座９上に載置される。香炉本体８はベース板１０、天板１１と、そのベース板１０、天板１１の左右端部間をつなぐ側壁板１２、１２そして後面を閉塞する後壁板１３とより構成された前面を開口したものとなっている。
【００１７】
ベース板１０は全体として矩形をした平板状のものとなっており、その上面縁は面取りが施され、指先等を怪我から防止している。また、その前縁は前方に向けてゆるやかに膨出させた弧状とし、意匠的にも優雅なものとしている。
【００１８】
天板１１は全体として、平面的にベース板１０と合同の平板状のものとなっており、やはり、その上面縁は面取りがなされるとともに、上面左右には屋根を模した装飾１１ａ、１１ａが設けられたものとなっている。
【００１９】
側壁板１２はベース板１０と天板１１の左右を上下方向に閉塞する矩形状をした平板状のものとなっており、前端面がアール状に膨出した形状となっている。後壁板１３はベース板１０、天板１１及び左右の側壁板１２、１２で形成される枠状体の後面を閉塞するもので矩形状をした平板状のものとされている。
【００２０】
香炉本体８はこのようにベース板１０、天板１１、側壁板１２、１２及び後壁板１３によって前面を開口したボックス状のものに構成されているもので、この前面開口には前面扉体１４が取り付けられる。
【００２１】
この前面扉体１４は前記開口の上下左右と略一致する平面的な寸法を有する弧状の板材で形成され、その弧状とした膨出部分に前方に向けて設置される。また、この前面扉体１４はその後面下端に半円形状をした香の置き用トレイ１５を一体的に備えたものとなっている。
【００２２】
また、この前面扉体１４の上下各端面には、側縁ラインと平行となる位置に各々軸受用のボス穴１６、１６が形成されている。そして、前記したベース板１０の上面前端寄り中央には前記前面扉体１４のボス穴１６と対向する位置に、やはり軸受用のボス穴１７が形成されている。さらには平板１１の下面前端寄り中央にも前記した前面扉体１４のボス穴１６と対向する位置に、軸受用のボス穴１８が形成されている。
【００２３】
かかる構成とした前面扉体１４はボス穴１６、１６をベース板１０のボス穴１７及び天板１１のボス穴１８との間で各々短寸な回転軸を用いて取り付けられる。この際、前面扉体１４のサイズから、その上方には略０．２ｍｍ程度の隙間が形成される。
【００２４】
このようにして、取り付けられた前面扉体１４は、その軸芯の左右いずれかを指先等で軽く押してやるだけで回動し、香の置き用トレイ１５が前方に突出することとなり、また、内部へ収納されることとなる。従って、着火された状態の線香を、置き用トレイ１５に載せたまま香炉本体８内へ収納してしまうこともできる。そのため、着火状態にある線香が雨や風等の天候の影響を受けることもなく、そのまま帰途についても火災や灰の飛散等の事態が生じることもなくなる。さらには、香炉本体８と前面扉体１４との間に微少な隙間が存在するため、煙を外気中に逃がすこともできるようになっている。
【００２５】
かかる構成とした香炉は、着火状態にある香を内部に収納することも想定しているので、耐火性、耐熱性を有する素材で成形されることが望ましく、例えば、石材、セラミック等が好適である。
【産業上の利用可能性】
【００２６】
本実施例に係る香炉は上記のように構成されている。屋外に設置された墓を前提とはしているが、この香炉は屋内に設置されるロッカー式の収骨壇や仏像前、もしくは仏壇等に対しても応用実施することが可能である。また、実施例では前面扉体１４は一枚物としているが、これにこだわらず、複数枚のものとし、例えば観音開きのように動作させることもできる。
【符号の説明】
【００２７】
１    竿石
２    上台
３    装飾
４    中台
５    下台（芝台）
６    水鉢
７    花立
８    香炉本体
９    台座
１０  ベース板
１１  天板
１１ａ  装飾
１２  側壁板
１３  後壁板
１４  前面扉体
１５  香の置き用トレイ
１６  ボス穴
１７  ボス穴
１８  ボス穴
【図１】
0003154890.tif 000003
【図２】
0003154890.tif 000004
【図３】
0003154890.tif 000005
【図４】
0003154890.tif 000006
【図５】
0003154890.tif 000007
【図６】
0003154890.tif 000008
【図７】
0003154890.tif 000009
【図８】
0003154890.tif 000010
【図９】
0003154890.tif 000011
【図１０】
0003154890.tif 000012
【図１１】
0003154890.tif 000013
【図１２】
0003154890.tif 000014
【図１３】
0003154890.tif 000015